(57)【要約】【課題】  撮影した画像を自動的に採点する画像採点装置を実現し、ユーザが画像補正の必要性について判断するのを助ける。【解決手段】  撮影された画像を画像解析し、該画像にブレ、露出不良などの特定現象が生じている部分を検出する。そして、検出された特定現象に応じた減点を所定の基準点から減算して得点を求め、該画像の得点として表示させる。【選択図】  図７
2005039541.tif 000002
【特許請求の範囲】
【請求項１】
被写体を電子的に撮影する撮影手段と、
この撮影手段により撮影された画像の状態が、予め設定された条件を満たしているか否かを検出する検出手段と、
この検出手段による検出結果に応じて前記撮影された画像を採点する採点手段と
この採点手段による採点結果を表示する表示手段と、
を備えることを特徴とする画像採点装置。
【請求項２】
前記検出手段は、予め設定された複数の条件それぞれが生じているか否かを検出する手段であり、
前記採点手段は、前記検出手段により検出された各条件に応じた点数を基準点から減算していくことで採点する減算式採点手段を有する、
ことを特徴とする請求項１に記載の画像採点装置。
【請求項３】
前記検出手段は、前記撮影された画像のうち、前記条件を満たしている部分の面積を算出する面積算出手段を有し、
前記採点手段は、前記面積算出手段により算出された面積の大きさが大きいほど点数が低くなるように採点する面積基準採点手段を有する、
ことを特徴とする請求項１又は２に記載の画像採点装置。
【請求項４】
前記検出手段は、前記撮影された画像のうち、前記条件を満たしている領域を判定する領域判定手段を有する手段であり、
前記撮影された画像を表示するとともに、当該画像のうち、前記領域判定手段によって判定された領域を特別表示する制御を行う領域表示制御手段を更に備えることを特徴とする請求項１〜３の何れか一項に記載の画像採点装置。
【請求項５】
被写体を電子的に撮影する撮影手段と、
この撮影手段により撮影された画像の輝度ヒストグラムを算出する算出手段と、
この算出手段によって算出された輝度ヒストグラムと所定の基準輝度ヒストグラムとの差を求める差分算出手段と、
この差分算出手段により算出された差分に基づいて前記撮影された画像を採点する採点手段と、
この採点手段による採点結果を表示する表示手段と、
を備えることを特徴とする画像採点装置。
【請求項６】
被写体を電子的に撮影する撮影手段を備えたコンピュータに、
前記撮影手段により撮影された画像の状態が、予め設定された条件を満しているか否かを検出する検出機能と、
この検出機能による検出結果に応じて前記撮影された画像を採点する採点機能と
この採点機能による採点結果を表示する表示機能と、
を実現させるためのプログラム。
【請求項７】
被写体を電子的に撮影する撮影手段を備えたコンピュータに、
前記撮影手段により撮影された画像の輝度ヒストグラムを算出する算出機能と、
この算出機能によって算出された輝度ヒストグラムと所定の基準輝度ヒストグラムとの差を求める差分算出機能と、
この差分算出機能により算出された差分に基づいて前記撮影された画像を採点する採点機能と、
この採点機能による採点結果を表示する表示機能と、
を実現させるためのプログラム。
【請求項８】
被写体を電子的に撮影する撮影手段と、
この撮影手段により撮影された被写体に対応する画像中の特定現象を検出する検出手段と、
この検出手段により前記特定現象が検出された領域に対応する評価結果を表示するように制御する表示制御手段と、
を備えることを特徴とする画像表示制御装置。
【請求項９】
前記表示制御手段は、前記特定現象が検出された領域に特別表示部を前記評価結果として表示させる特別表示部表示制御手段を有することを特徴とする請求項８に記載の画像表示制御装置。
【請求項１０】
前記表示制御手段は、前記特定現象が検出された領域に対応する現象の名称を前記評価結果として表示させる現象名称表示制御手段を有することを特徴とする請求項８に記載の画像表示制御装置。
【請求項１１】
前記表示制御手段は、前記特定現象が検出された領域に対応する得点を前記評価結果として表示させる得点表示制御手段を有することを特徴とする請求項８に記載の画像表示制御装置。
【発明の詳細な説明】
【技術分野】
【０００１】
本発明は、撮影された画像を採点する画像採点装置等に関する。
【背景技術】
【０００２】
従来から、被写体を電子的に撮影するデジタルカメラと言われる画像表示制御装置が知られている。デジタルカメラは、レンズを通してＣＣＤ（Charge Coupled Device）等の撮像素子で取り込んだデジタル画像を記憶装置に保存する。
【０００３】
近年では、例えばシャッタースピード、ＩＳＯ感度、絞り等を組み合わせた撮影条件（撮影モードとも言う）を、デジタルカメラ内に予め記憶させておき、撮影時に撮影モードを読み出すものもある（例えば、特許文献１参照）。
【特許文献１】特開２０００−１９６９４６号公報
【発明の開示】
【発明が解決しようとする課題】
【０００４】
デジタルカメラは、フィルム式のカメラと比較して、ＤＰＥの工数やコストを節約できる点や、失敗した画像を自在に消すことができる点、パソコン等で画像加工が自在にできる点が人気となり、広く普及するに至っている。
【０００５】
画像加工に関して言うならば、多くのユーザは、一旦デジタルカメラからパソコン等に撮影した画像を移してパソコン上で撮影した画像を確認し、必要に応じて画像処理ソフトなどで、ブレやピンぼけ、色かぶり、露出不良などを補正し、補正後の画像をプリントする。或いは、デジタルカメラにインストールされている画像処理ソフトで同様に補正して、補正後の画像をプリントする。
【０００６】
ところで、撮影された画像を補正するか否かの判断はユーザ自身で行うのが通常である。すなわち、画像がユーザの撮影意図に合致していれば補正の必要はないが、撮影意図にそぐわないブレやピンぼけ、色かぶり、露出不良といった現象が撮影された画像に生じている場合には補正すると判断する。しかし、プロの写真家ではない一般のユーザにとってみれば、基準となる撮影意図が明確である場合は少なく、画像補正の必要性の判断に自信が持てないのが実情である。具体的には、ブレやピンぼけ、色かぶり、露出不良といった現象を見つけられない、或いはそうした現象を見つけたとしても、それが補正を要するレベルか否かの判断がつきかねるのである。
【０００７】
本発明は、こうした実情を鑑みてなされたものであり、その目的とするところは、撮影した画像を自動的に採点する画像採点装置を実現し、ユーザが画像補正の必要性について判断するのを助けることである。
【課題を解決するための手段】
【０００８】
上記課題を解決するために、請求項１に記載の発明の画像採点装置は、被写体を電子的に撮影する撮影手段（例えば、図１のファインダー１００２、撮影レンズ１００４、撮像素子１００６、シャッタースイッチ１０１０、図２のＣＰＵ１０、ＲＡＭ３０、撮影部４０、操作入力部４２、図５のステップＳ６）と、この撮影手段により撮影された画像の状態が、予め設定された条件を満たしているか否かを検出する検出手段（例えば、図２のＣＰＵ１０、図６の特定現象検出処理）と、この検出手段による検出結果に応じて前記撮影された画像を採点する採点手段（例えば、図２のＣＰＵ１０、図５のステップＳ１８〜Ｓ２２）とこの採点手段による採点結果を表示する表示手段（例えば、図１のディスプレイ１００８、図２のＣＰＵ１０、表示部４４、図５のステップＳ２４）と、を備えることを特徴とする。
【０００９】
また、請求項６に記載の発明のプログラムは、被写体を電子的に撮影する撮影手段（例えば、図１のファインダー１００２、撮影レンズ１００４、撮像素子１００６、シャッタースイッチ１０１０、図２のＣＰＵ１０、ＲＡＭ３０、撮影部４０、操作入力部４２、図５のステップＳ６）を備えたコンピュータに、前記撮影手段により撮影された画像の状態が、予め設定された条件を満しているか否かを検出する検出機能（例えば、図２のＣＰＵ１０、図６の特定現象検出処理）と、この検出機能による検出結果に応じて前記撮影された画像を採点する採点機能（例えば、図２のＣＰＵ１０、図５のステップＳ１８〜Ｓ２２）とこの採点機能による採点結果を表示する表示機能（例えば、図１のディスプレイ１００８、図２のＣＰＵ１０、表示部４４、図５のステップＳ２４）と、を実現させる。
【００１０】
ここで言う「予め設定された条件」とは、具体的には、例えばブレやピンぼけ、白とびや黒つぶれと言った露出不良、色かぶりといった色調不良、階調不良といった現象が生じていると見なされる条件を言う。換言するならば、一般的に補正が必要と考えられる現象が生じていると見なされる条件を言う。
【００１１】
請求項１又は６に記載の発明によれば、電子的に撮影された画像の状態が、予め設定された条件を満たしているか否かを検出し、その検出結果に応じて採点する装置を実現できる。そして、その採点結果を表示してユーザに示すことができる。したがって、ユーザによる画像補正の必要性についての判断を助けることができる。
【００１２】
請求項２に記載の発明は、請求項１に記載の画像採点装置であって、前記検出手段は、予め設定された複数の条件それぞれが生じているか否かを検出する手段（例えば、図３のブレ検出プログラム２２１、露出不良検出プログラム２２２、図６のループ１、ループ２）であり、前記採点手段は、前記検出手段により検出された各条件に応じた点数を基準点から減算していくことで採点する減算式採点手段（例えば、図２のＣＰＵ１０、図３の減点テーブル２５、図５のステップＳ２０〜Ｓ２２）を有する、ことを特徴とする。
【００１３】
請求項２に記載の発明によれば、請求項１に記載の発明と同様の効果を奏するとともに、予め設定された複数の条件それぞれについて検出し、検出された条件に応じた減点法で採点する装置を実現できる。
【００１４】
請求項３に記載の発明は、請求項１又は２に記載の画像採点装置であって、前記検出手段は、前記撮影された画像のうち、前記条件を満たしている部分の面積を算出する面積算出手段（例えば、図２のＣＰＵ１０、図３の領域設定情報２４、図９のブレ面積３２ａ、図１０のステップＳ１１３）を有し、前記採点手段は、前記面積算出手段により算出された面積の大きさが大きいほど点数が低くなるように採点する面積基準採点手段（例えば、図２のＣＰＵ１０、図１１のステップＳ３２〜Ｓ３６）を有する、ことを特徴とする。
【００１５】
請求項３に記載の発明によれば、請求項１又は２に記載の発明と同様の効果を奏するとともに、撮影された画像のうち、前記条件を満たしている部分の面積の大きさが大きいほど点数が低くなるように採点する装置を実現できる。すなわち、一般的に補正対象となりうる現象が生じている面積が大きいほど低い点数となる。
【００１６】
請求項４に記載の発明は、請求項１〜３の何れか一項に記載の画像採点装置であって、前記検出手段は、前記撮影された画像のうち、前記条件を満たしている領域を判定する領域判定手段（例えば、図２のＣＰＵ１０、図３の領域設定情報２４、図１０のループ１、ループ２）を有する手段であり、前記撮影された画像を表示するとともに、当該画像のうち、前記領域判定手段によって判定された領域を特別表示する制御を行う領域表示制御手段（例えば、図２のＣＰＵ１０、表示部４４、図３の特別表示初期設定２７、図５のステップＳ１２〜Ｓ１４）を更に備えることを特徴とする。
【００１７】
請求項４に記載の発明によれば、請求項１〜３の何れか一項に記載の発明と同様の効果を奏するとともに、条件を満たしている部分を特別に表示させることができる。したがって、ユーザは、条件を満たしている部分、すなわち一般的に補正対象となりうる現象が生じている部分がどこかを簡単に知ることができる。
【００１８】
請求項５に記載の発明の画像採点装置は、被写体を電子的に撮影する撮影手段（例えば、図１のファインダー１００２、撮影レンズ１００４、撮像素子１００６、シャッタースイッチ１０１０、図２のＣＰＵ１０、ＲＡＭ３０、撮影部４０、操作入力部４２、図１４のステップＳ６）と、この撮影手段により撮影された画像の輝度ヒストグラムを算出する算出手段（例えば、図２のＣＰＵ１０、図１４のステップＳ４０）と、この算出手段によって算出された輝度ヒストグラムと所定の基準輝度ヒストグラムとの差を求める差分算出手段（例えば、図２のＣＰＵ１０、基準輝度ヒストグラム２８、図１４のステップＳ４４）と、この差分算出手段により算出された差分に基づいて前記撮影された画像を採点する採点手段（例えば、図２のＣＰＵ１０、図１４のステップＳ４６〜Ｓ４８）と、この採点手段による採点結果を表示する表示手段（例えば、図１のディスプレイ１００８、図２のＣＰＵ１０、表示部４４、図１４のステップＳ２４）と、を備えることを特徴とする。
【００１９】
また、請求項７に記載の発明のプログラムは、被写体を電子的に撮影する撮影手段（例えば、図１のファインダー１００２、撮影レンズ１００４、撮像素子１００６、シャッタースイッチ１０１０、図２のＣＰＵ１０、ＲＡＭ３０、撮影部４０、操作入力部４２、図１４のステップＳ６）を備えたコンピュータに、前記撮影手段により撮影された画像の輝度ヒストグラムを算出する算出機能（例えば、図２のＣＰＵ１０、図１４のステップＳ４０）と、この算出機能によって算出された輝度ヒストグラムと所定の基準輝度ヒストグラムとの差を求める差分算出機能（例えば、図２のＣＰＵ１０、基準輝度ヒストグラム２８、図１４のステップＳ４４）と、この差分算出機能により算出された差分に基づいて前記撮影された画像を採点する採点機能（例えば、図２のＣＰＵ１０、図１４のステップＳ４６〜Ｓ４８）と、この採点機能による採点結果を表示する表示機能（例えば、図１のディスプレイ１００８、図２のＣＰＵ１０、表示部４４、図１４のステップＳ２４）と、を実
【００２０】
請求項５又は７に記載の発明によれば、撮影された画像の輝度ヒストグラムを算出し、基準となる輝度ヒストグラムと比較して差分を算出する装置を実現できる。そして、その差分に基づいて該画像を採点することができる。したがって、撮影された画像の輝度レベルの分布を判断基準として、ユーザによる画像補正の必要性についての判断を助けることができる。
【００２１】
請求項８に記載の発明の画像表示制御装置は、被写体を電子的に撮影する撮影手段（例えば、図１のファインダー１００２、撮影レンズ１００４、撮像素子１００６、シャッタースイッチ１０１０、図２のＣＰＵ１０、ＲＡＭ３０、撮影部４０、操作入力部４２、図５のステップＳ６）と、この撮影手段により撮影された被写体に対応する画像中の特定現象を検出する検出手段（例えば、図２のＣＰＵ１０、図６の特定現象検出処理）と、この検出手段により前記特定現象が検出された領域に対応する評価結果（例えば、図７の特定表示部Ａ３，Ａ４、名称Ｔ３，Ｔ４、得点Ｋ１）を表示するように制御する表示制御手段（例えば、図１のディスプレイ１００８、図２のＣＰＵ１０、表示部４４、図５のステップＳ１０〜Ｓ１４，Ｓ１８〜Ｓ２４）と、を備えることを特徴とする。
【００２２】
ここで言う「特定現象」とは、具体的には、例えばブレやピンぼけ、白とびや黒つぶれと言った露出不良、色かぶりといった色調不良、階調不良といった現象を言う。換言するならば、一般的に補正が必要と考えられる現象が生じていると見なされる現象を言う。
請求項８に記載の発明によれば、電子的に撮影された画像内に特定の現象（特定現象）が現われている、換言するならば特定現象が写っているか否かを検出し、特定現象が検出された領域に対する評価結果を表示することができる。したがって、ユーザによる画像補正の必要性についての判断を助けることができる。
【００２３】
より好適には、請求項９に記載の発明のように、請求項８に記載の画像表示制御装置であって、前記表示制御手段は、前記特定現象が検出された領域に特別表示部（例えば、図７の特定表示部Ａ３，Ａ４）を前記評価結果として表示させる特別表示部表示制御手段（例えば、図２のＣＰＵ１０、図５のステップＳ１０〜Ｓ１４）を有することとしても良い。
【００２４】
請求項９に記載の発明によれば、請求項８に記載の発明と同様の効果を奏するとともに、撮影された画像中のどの領域が評価対象となったのかを表示することができる。したがって、ユーザにより親切な評価結果の表示を実現できる。
【００２５】
また、請求項１０に記載の発明のように請求項８に記載の画像表示制御装置であって、前記表示制御手段は、前記特定現象が検出された領域に対応する現象の名称（例えば、図７の名称Ｔ３，Ｔ４）を前記評価結果として表示させる現象名称表示制御手段（例えば、図２のＣＰＵ１０、図５のステップＳ１０〜Ｓ１４）を有することとしても良い。
【００２６】
請求項１０に記載の発明によれば、請求項８に記載の発明と同様の効果を奏するとともに、どのような特定現象が検出されたかその名称を表示することができる。したがって、ユーザにより親切な評価結果の表示を実現できる。
【００２７】
また、請求項１１に記載の発明は請求項８に記載の画像表示制御装置であって、前記表示制御手段は、前記特定現象が検出された領域に対応する得点（例えば、図７の得点Ｋ１）を前記評価結果として表示させる得点表示制御手段（例えば、図２のＣＰＵ１０、図５のステップＳ１８〜Ｓ２４）を有することとしても良い。
【００２８】
請求項１１に記載の発明によれば請求項８に記載の発明と同様の効果を奏するとともに、具体的な点数として評価結果を表示することができる。したがって、ユーザにより明確に評価結果を示すことができる。
【発明の効果】
【００２９】
本発明によれば、電子的に撮影された画像の状態が、予め設定された条件を満たしているか否かを検出し、その検出結果に応じて採点する装置を実現できる。そして、その採点結果を表示してユーザに示すことができる。また、撮影された画像の輝度ヒストグラムを算出し、基準となる輝度ヒストグラムと比較して差分を算出する装置を実現できる。そして、その差分に基づいて該画像を採点することができる。したがって、ユーザによる画像補正の必要性についての判断を助けることができる。
【００３０】
また、電子的に撮影された画像に特定の現象が現われているか否か（換言するならば特定現象が写っているか否か）を検出し、特定現象が検出された画像の領域に対応した評価結果を表示する装置を実現できる。したがって、ユーザによる画像補正の必要性についての判断を助けることができる。
【発明を実施するための最良の形態】
【００３１】
本発明は、デジタルカメラやカメラ付き携帯電話機、ＰＤＡ（パーソナルデジタルアシスタント）、パソコン、デジタル印刷機といった画像を処理することができる電子機器であれば適用可能である。しかし、撮影した画像の良し悪しや、補正の要否を判定するタイミングとしては、撮影直後が１つの理想的な条件とも言える。そこで、発明の実施の形態として、本発明を撮影機能付きの携行可能な画像表示制御装置であるデジタルカメラに適用し、撮影後に画像の採点を行う画像採点装置とした場合を例に挙げて説明する。
【００３２】
〔実施形態１〕
図１は、本実施形態におけるデジタルカメラ１０００の概観図であって、（ａ）は正面斜視図、（ｂ）は背面斜視図である。デジタルカメラ１０００は、被写体の像をデジタル画像として記憶する電子機器である。
同図に示すように、デジタルカメラ１０００は、
（１）被写体を撮影フレームに収めるように狙うためのファインダー１００２と、
（２）ＡＦ（オートフォーカス）機能とズーム機能を備えた撮影レンズ１００４と、
（３）撮影レンズ１００４を通して入射した光（対象物の像）をデジタル信号に変換するＣＣＤ（Charge Coupled Diode）、ＣＭＯＳ（Complementary Metal Oxide Semiconductor）といった撮像素子１００６と、
（４）撮像されている像を表示するＬＣＤ（Liquid Crystal Display）やＥＬＤ（Electronic Luminescent Display）といったディスプレイ１００８と、
（５）シャッタースイッチ１０１０と、
（６）撮影された画像のデータを記憶（保存）するメモリカード１０１２が着脱自在なメモリスロットル１０１４と、
（７）各種の操作を入力するための方向キーやボタンスイッチ等の入力キー１０１６と、
（８）演算処理によって装置を統合的に制御する制御ユニット１０２０と、電源（図示略）とを備える。
【００３３】
制御ユニット１０２０は、演算処理を実行するＣＰＵ（Central  Processing  Unit）１０と、ＲＯＭ（Read  Only  Memory）２０と、ＲＡＭ（Random Access Memory）３０とを備える。
【００３４】
ユーザによって電源スイッチ１０１８が押下されて電源が投入されると、ＣＰＵ１０はＲＯＭ２０から所定のプログラムを読み出して、デジタルカメラ１０００を撮影可能な状態とする。
撮影可能な状態となったならば、ユーザは撮影レンズ１００４を被写体に向けてデジタルカメラ１０００を構え、ファインダー１００２をのぞいて撮影する構図を確認する。更に撮影レンズ１００４がズーム機能を備えている場合には、入力キー１０１６を操作して適当な画角を決定する。そして、シャッタースイッチ１０１０を半押してＡＦ機能を作動させてピントを合わせて、更にシャッタースイッチ１０１０を押し込んでシャッターを切り撮影を実行させる。
【００３５】
シャッタースイッチ１０１０が押下されたならば、シャッターの切られた瞬間の像は撮像素子１００６によってデジタル信号に変換され、ディスプレイ１００８に撮影された画像として表示されるとともに、１枚の静止画像の画像データとしてメモリカード１０１２に記憶される。そして、撮影され記憶された画像は、適宜ディスプレイ１００８に再生表示させることができる。
【００３６】
また、デジタルカメラ１０００は、通信回線２に接続する通信端子１０１９を備えており、外部装置との間で撮影された画像のデータの送受をすることができる。例えば、撮影された画像のデータをデジタルカメラ１０００からパソコンに送信し、パソコンで画像処理を施した後、パソコンに接続されたプリンタ等で画像を印刷するといったことが一般的に行われる。ここで言う通信回線２とは、データ授受が可能な通信路を意味し、直接接続のための専用線（専用ケーブル）やＬＡＮ（Local Area Network）の他、電話通信網やケーブル網、インターネット等の通信網を含む意味であり、また通信方法については有線／無線を問わない意味である。
【００３７】
図２は、本実施形態におけるデジタルカメラ１０００の機能構成の一例を示す機能ブロック図である。同図に示すように、デジタルカメラ１０００は、ＣＰＵ１０と、ＲＯＭ２０と、ＲＡＭ３０と、撮影部４０と、ユーザからの操作を受けつける操作入力部４２と、撮影された画像を画像出力する表示部４４と、記憶媒体５２へのデータの読み書きを行う記憶媒体読取部５０と、通信回線２を介して外部装置６２と接続可能な通信制御部６０とを備え、これらはデータバス７０によって接続されている。
【００３８】
撮影部４０は、被写体の像を光学的に導きデジタルデータに変換する。具体的には、無色透明なガラスや樹脂から形成された光学レンズ、ＡＦ機能を実現するための駆動素子、ズーム機構、ＣＣＤやＣＭＯＳなどの撮像素子、各種のカラーフィルター及びこれらのドライバ回路から実現され、その動作はＣＰＵ１０によって制御される。図１では、撮影レンズ１００４や撮像素子１００６がこれに該当する。
【００３９】
操作入力部４２は、ユーザによる各種の入力を受け付け、操作入力信号をＣＰＵ１０に出力する。具体的には、ボタンスイッチ、レバー、ジョグダイヤル、タッチパネルなどによって実現することができる。図１では、シャッタースイッチ１０１０や入力キー１０１６、電源スイッチ１０１８がこれに該当する。
【００４０】
表示部４４は、現在撮影されている画像や、撮影された画像をリアルタイム或いは再生表示させるための表示を行う。具体的には、ＬＣＤやＥＬＤといった表示素子、これらのドライバ回路、表示用のバッファメモリによって実現される。図１では、ディスプレイ１００８がこれに該当する。
【００４１】
記憶媒体５２は、撮影された画像のデータや各種のプログラムやデータを記憶する。具体的には、フラッシュメモリなど着脱自在型な情報記憶媒体によって実現される。図１では、メモリカード１０１２がこれに該当する。
記憶媒体読取部５０は、記憶媒体５２へのデータの書き込みやデータの読み出しをする。具体的には、記憶媒体５２のメディアの種類に応じた読み書き装置、及びそのドライバ回路等によって実現される。図１では、メモリスロットル１０１４がこれに該当する。
【００４２】
通信制御部６０は、通信回線２を介して外部装置６２とのデータ通信をする。具体的には、モデムや無線ＬＡＮカードといった有線／無線の通信装置、通信ケーブルの接続端子、及びこれらのドライバ回路などによって実現される。図１では、通信端子１０１９がこれに該当する。
【００４３】
ＣＰＵ１０は、ＲＯＭ２０に記憶されている各種のプログラムやデータを読み出して、ＲＡＭ３０を一時的な記憶領域にしながら演算処理することによって、上記各部の機能ブロックを制御しデジタルカメラ１０００を統合的に制御する。
【００４４】
図３は、本実施形態におけるＲＯＭ２０に記憶されている情報の一例を示す図である。同図(ａ)に示すように、本実施形態におけるＲＯＭ２０は、システムプログラム２１と、画像採点プログラム２２と、特別表示設定プログラム２３と、領域設定情報２４と、減点テーブル２５と、基準点２６と、特別表示物初期設定２７とを記憶している。
【００４５】
システムプログラム２１は、デジタルカメラとしての基本的な諸機能を実現させるためのプログラムである。ＣＰＵ１０は、システムプログラム２１を読み出し実行することによって、例えば、各種初期設定やハードウェアの検査及び必要なプログラムのロード等を行う起動処理、ホワイトバランスや各種撮影モードの設定処理、露出の計測処理、露出の計測結果に応じたシャッタースピードと絞りの制御処理、ＡＦ制御処理、シャッターが切られた際に撮影されていた画像の画像データの作成処理、記憶媒体５２への画像の記憶処理、記憶媒体５２に記憶されている画像の管理処理、記憶媒体５２に記憶されている画像の再生表示処理、各種メニュー画面の表示処理などを実行することができる。
【００４６】
画像採点プログラム２２は、ＣＰＵ１０に、撮影された画像を画像解析して、撮影された画像の状態が所定の条件を満たしているか否かを検出する機能と、検出された条件の程度を判定する機能と、検出された画像内の領域を特定する機能と、検出された条件に応じた採点を実施する機能とを実現させる。尚、以下では、説明の表現上「撮影された画像の状態が所定の条件を満たしている」状態を、適宜「特定現象が生じている」とも言うが、同義である。
【００４７】
「特定現象が生じている」とは、例えば、画像の一部又は全体がブレて写っている「ブレ」、合焦後に被写体とデジタルカメラ１０００との距離が変化した場合などに発生する「ピンぼけ」、被写体と周辺の明るさの違いが大きい場合などに発生する露出オーバや露出アンダーなどの「露出不良」、などが生じていることを言う。すなわち、撮影された画像を解析し、こうした現象が生じていると判断される場合に該当する。
【００４８】
本実施形態における画像採点プログラム２２は、こうした特定現象を検出するとともに特定現象が生じている画像内の領域を特定する機能を実現させるために、特定現象検出プログラムとしてブレ検出プログラム２２１と、露出不良検出プログラム２２２とを含んでいる。これらは、適宜公知の技術を用いることによって実現することができる。
【００４９】
例えば、ブレ検出プログラム２２１を実行することによって、ＣＰＵ１０は領域設定情報２４で設定された領域毎に、一定方向に並んだ複数の画素の濃度変化の割合を検出する。そして、所定の基準値より濃度変化の割合が低い場合には、その領域でブレが発生していると判定し、濃度変化の割合に応じて該特定現象のレベルを決定する。本実施形態では、ブレの程度が比較的小さいものをランク「Ａ」、ブレの程度が比較的大きいものをランク「Ｂ」としている。領域毎に検出を実行するので、検出の結果はそのままブレの発生している領域の判定結果ともなる。
【００５０】
また、例えば、露出不良検出プログラム２２２を実行することによって、ＣＰＵ１０は、領域設定情報２４に設定された領域毎に輝度ヒストグラムを算出する。そして、輝度ヒストグラムの山が所定の基準値より明又は暗側に位置する場合には、その領域が白くとんでいたり、暗くつぶれぎみであると判断し、その領域の露出が不適当であり露出不良が発生していると判定する。そして、輝度ヒストグラムの山が基準値からどの程度離れているかに応じて露出不良のレベルを決定する。領域毎に検出を実行するので、検出の結果はそのまま該現象の発生している領域の判定結果ともなる。
そして、特定現象の検出結果に基づいて、ＣＰＵ１０は減点テーブル２５を参照して、検出された特定現象に対応する減点を読み出し、減点の合計を基準点２６から減算して、対象としている画像の得点とする。
【００５１】
特別表示設定プログラム２３は、ＣＰＵ１０に、特定現象が生じている画像内の領域を視覚的に示すための特別表示物を設定する機能を実現させる。特別表示物とは、特定現象が生じている画像内の領域を被い、或いは囲むようにして示すものであり、例えば、ライン、網掛け、矢印などである。ラインで囲む場合には、同じ特定現象が検出された連接する領域を１つの領域群として囲む。何れの特定現象にどういった特別表示物を表示させるかに関する設定（例えば、特別表示物の表示形態、一緒に表示するテキストなどの設定）は、特別表示物初期設定２７に格納されている。
【００５２】
領域設定情報２４は、画像を複数の領域に分割するための設定を格納している。具体的には、例えば同図（ｃ）の概念図に示すように、撮影モードの画像サイズ毎に、撮影された画像Ｐ全体を複数の矩形領域に分割する。そして、領域設定情報２４は領域のＩＤ（ＡＲ１，ＡＲ２・・・）と、画像座標系における該領域の左上角の位置座標と右下角の位置座標とを対応づけて格納している。本実施形態では、画像採点プログラム２２では、この領域設定情報２４で設定されている領域毎に特定現象の検出を行う。
【００５３】
減点テーブル２５は、特定現象毎に減点数を設定するテーブルデータである。具体的には、例えば同図（ｄ）に示すように、特定現象の程度（ランクで表示）毎に、減点の値を対応づけて格納している。
【００５４】
図４は、本実施形態におけるＲＡＭ３０の記憶領域の構成の一例を示す図である。ＲＡＭ３０は、ＣＰＵ１０が実行する各種プログラムや、これらのプログラムの実行に係るデータ等を一時的に格納する領域を備える。
【００５５】
同図(ａ)に示すように、本実施形態では、撮影された画像のデータを格納する撮影画像格納領域３１Ｒと、画像採点プログラム２２を実行することによって検出された特定現象の検出結果を格納する特定現象検出結果格納領域３２Ｒと、特別表示設定プログラム２３を実行することによって設定される特別表示物の設定を格納する特別表示設定格納領域３３Ｒと、特定現象の検出結果に基づく減点の合計を格納する減点合計格納領域３４Ｒと、基準点から減点の合計が減算された画像の得点を格納する得点格納領域３５Ｒとを備える。
【００５６】
特定現象検出結果格納領域３２Ｒに格納される特定現象検出結果３２は、例えば同図（ｂ）に示すように、領域設定情報２４で設定された領域毎に、ブレのランクと、露出不良のランクとを対応付けて格納する。具体的には、同図（ｂ）におけるＡＲ１の領域では、ランクＡのブレが発生していることを示し、露出不良は生じていないので「０」が対応づけられている。すなわち、特定現象検出結果３２を参照することによって、処理対象の画像の何れの領域において、どの程度の現象が生じているかを知ることができる。
【００５７】
特別表示設定格納領域３３Ｒに格納される特別表示設定３３は、例えば同図（ｃ）の概念図に示すように、撮影された画像Ｐの各特定現象が生じている領域を被い或いは囲む特別表示物の種類や、表示位置、表示させる大きさの設定が格納される。具体的には、特別表示物のＩＤと、特別表示物種類と、特別表示物の代表点位置座標（この場合、矩形の画像座標系における左上角の位置座標と、右下角の位置座標）とが対応付けて格納される。すなわち、特別表示設定３３を参照することによって、撮影された画像の何れの位置に、どの特別表示物を、どの大きさで表示させるかの情報が得られる。因みに、同図（ｃ）では、「ブレ」の生じている領域群を囲むようにして、破線で示された特定表示物Ａ１と、特定現象の内容を示すテキストＴ１とが設定されていることを示している。また、「露出不良」の生じている領域を被うように、網掛けで示された特定表示物Ａ２と、特定現象の内容を示すテキストＴ２とが設定されている。
【００５８】
図５は、本実施形態における全体的な処理の流れを説明するためのフローチャートである。ここで説明される処理は、ＣＰＵ１０がシステムプログラム２１、画像採点プログラム２２、特別表示設定プログラム２３を読み出して実行することによって実現される。
【００５９】
まず、ユーザによって電源スイッチ１０１８が押下されて電源が投入されると起動処理が実行され、ＣＰＵ１０はＲＯＭ２０からシステムプログラム２１を読み出して、デジタルカメラ１０００を撮影可能な状態とする（ステップＳ２）。
【００６０】
撮影可能な状態となったならば、ユーザは撮影レンズ１００４を被写体に向けてデジタルカメラ１０００を構え、ファインダー１００２をのぞいて撮影する構図を確認する。更に撮影レンズ１００４がズーム機能を備えている場合には、所定の入力キー１０１６を操作して適当な画角を決定する。そして、シャッタースイッチ１０１０を半押してＡＦ機能を作動させてピントを合わせて、更にシャッタースイッチ１０１０を押し込んでシャッターを切り、撮影する。
【００６１】
シャッタースイッチ１０１０が最後まで押し込まれシャッターが切られたならば（ステップＳ４；ＹＥＳ）、ＣＰＵ１０は従来のデジタルカメラと同様にして撮影処理を実行する（ステップＳ６）。すなわち、撮影モードなどの撮影条件の設定に応じて、シャッターの切られた瞬間の像は撮像素子１００６がデジタル信号に変換し、ＲＡＭ３０の撮影画像格納領域３１Ｒに格納する。そして、ＣＰＵ１０は撮影した画像をディスプレイ１００８に表示させる（ステップＳ８）。
【００６２】
次ぎに、ＣＰＵ１０は、ブレ検出プログラム２２１と露出不良検出プログラム２２２を実行して特定現象検出処理を実行する（ステップＳ１０）。
【００６３】
図６は、本実施形態における特定現象検出処理の流れを説明するためのフローチャートである。同図に示すように、先ずＣＰＵ１０は、特定現象検出結果格納領域３２Ｒと、特別表示設定格納領域３３Ｒを初期化する（ステップＳ１０２）。具体的には、特定現象検出結果３２の各領域に対応するブレ及び露出不良の検出結果を全て「０（未検出）」とする。また、特別表示設定３３をクリアし、特別表示物が設定されていない状態とする。
【００６４】
次ぎに、ＣＰＵ１０は領域設定情報２４を参照して、撮影された画像の画素サイズに応じた領域設定の情報を取得する（ステップＳ１０４）。
【００６５】
次ぎに、ＣＰＵ１０は領域設定情報２４で設定されている各領域についてループ１の処理を実行する（ステップＳ１０６〜Ｓ１１４）。ループ１では、領域毎にブレが発生しているか否かを判定し、ブレが検出された場合（ステップＳ１０８；ＹＥＳ）、当該領域のブレのランクを判定し（ステップＳ１１０）、判定結果を特定現象検出結果３２に格納する（ステップＳ１１２）。
【００６６】
次ぎに、ＣＰＵ１０は領域設定情報２４で設定されている各領域についてループ２の処理を実行する（ステップＳ１１６〜Ｓ１２４）。ループ２では、領域毎に露出不良が発生しているか否か判定し、露出不良が検出された場合（ステップＳ１１８；ＹＥＳ）、当該領域の露出不良のランクを判定し（ステップＳ１２０）、判定結果を特定現象検出結果３２に格納する（ステップＳ１２２）。そして、ループ２の処理が終了したならば、ＣＰＵ１０は特定現象検出処理を終了する。
【００６７】
図５の全体のフローに戻って、ＣＰＵ１０は特別表示設定プログラム２３を実行して、特定現象検出結果３２に基づいて特別表示物を設定する（ステップＳ１２）。具体的には、例えば、特定現象の生じている領域を被う或いは囲む場合、特定現象検出結果３２を参照して、同じランクのブレが発生している領域が、互いに隣接し連接している領域の群を検索する。そして、特別表示物初期設定２７から「ブレ」に設定されている特別表示物の種類を読み出し、検索された領域群の左上角の画像座標系位置座標と右下角の画像座標系位置座標から特別表示物の表示位置・大きさを決定して、特別表示設定格納領域３３Ｒに格納する。複数の領域の群が存在する場合は同様の処理が繰り返され、特別表示設定格納領域３３Ｒには同じ種類の特別表示物が複数登録されることになる。次いで、露出不良についても同様に連続する領域群を検索し、特別表示設定格納領域３３Ｒに特別表示物の設定を格納する。領域を被うように特別表示物を表示させる場合には、特定現象が検出された領域毎に、検出された特定現象に対応する特定表示物を設定する。
【００６８】
特別表示物の設定が為されたならば、ＣＰＵ１０はディスプレイ１００８に表示されている撮影された画像の上に、特別表示物を重ねて表示させる（ステップＳ１４）。この結果、ディスプレイ１００８では、撮影された画像上に特定現象に応じた特定表示物が表示されるので、ユーザは画像のどの部分に、どの程度の範囲に渡って特定現象が生じているかを、一瞥で理解することができる。
【００６９】
そして、撮影画像格納領域３１Ｒに記憶されている画像のアルファチャンネルに、設定された特別表示物を描画する（ステップＳ１６）。アルファチャンネルにはステップＳ１４でディスプレイ１００８に表示されたのと同様に、特定現象が生じている領域を被う或いは囲む特別表示物が書き込まれる。これによって、画像データのアルファチャンネルの情報を参照することによって、この後該画像を補正する場合に何処の領域にどのような特定現象が生じていたかを知ることができる。すなわち、ＣＰＵ１０は、特定表示物を撮影された画像をアルファチャンネルに描画し、特定表示物の情報を記憶させる手段として機能する。
【００７０】
次いで、ＣＰＵ１０は、画像の得点を求める。先ず、減点テーブル２５を参照して（ステップＳ１８）、特定現象検出結果３２に応じた減点の合計を算出する（ステップＳ２０）。具体的には、特定現象検出結果３２を参照し、何れかの領域においてランクＡのブレが生じている場合は、該現象に対応する減点値「４」を減点の合計に加算し、同様にランクＢのブレが生じている領域が有る場合には、対応する減点値「８」を減点の合計に加算する。これを全ての種類の現象について繰り返し、減点の合計を算出する。
【００７１】
減点の合計が算出されたならば、ＣＰＵ１０は所定の基準点２６の値から減点の合計を減算して、対象とする画像の得点を算出し得点格納領域３５Ｒに格納する（ステップＳ２２）。そして、ディスプレイ１００８に得点を表示させる（ステップＳ２４）。この結果、ディスプレイ１００８には、撮影された画像の得点が表示されることになる。
【００７２】
次いで、ＣＰＵ１０は、算出された得点が挿入された保存用のＩＤを設定する（ステップＳ２４）。具体的には、例えば「ＰＩＣＴ０１２（通し番号）−８６（得点）」とする保存用のＩＤを設定する。そして、メモリカード１０１２に、撮影画像格納領域３１Ｒに記憶されている画像の画像データを、保存用のＩＤで記憶させる（ステップＳ２６）。すなわち、ＣＰＵ１０は、撮影された画像に対する採点結果を、該画像に対応させて記憶させる手段として機能する。  
【００７３】
図７は、本実施形態におけるディスプレイ１００８の表示例を示す図である。同図（ａ）は、ステップＳ８に該当する。ディスプレイ１００８には撮影された画像Ｐが表示されている。画像Ｐは、風景を撮影した画像であって、画面下部に家並み、画面上部に空、画面左右に樹木が撮影されている。画像採点プログララム２２が実行されたならば、同図（ｂ）に示すように特定現象が生じている部分に、特別表示部Ａ３，Ａ４が重ねて表示される。この場合、特別表示部Ａ３，Ａ４には、枠線状の特別表示物が表示されている。また、表示された領域に対応する現象の名称Ｔ３，Ｔ４がそれぞれ表示される（ステップＳ１４に該当）。更に、撮影された画像の得点が計算され、同図（ｃ）に示すように得点Ｋ１が表示される（ステップＳ２２に該当）。
【００７４】
以上の処理によって、本実施形態におけるデジタルカメラ１０００は、画像を撮影すると特定現象の生じている領域を表示し、検出された特定現象に応じた採点を実行し、画像の得点を表示させることができる。
【００７５】
通常、デジタルカメラは手のひらほどの大きさとなるために、搭載されているディスプレイ１００８の画面サイズは小さい。そのために撮影後にディスプレイ１００８で撮影された画像を見ても、特定現象が生じているか否かを見極めるのは難しい。これに対し、本実施形態におけるデジタルカメラ１０００によれば、特定現象が生じている領域を特別表示で明示することができるので、ユーザは撮影された画像上に表示された特別表示物を見て、特定現象の生じている位置、大きさ、数から補正すべきか否かを、撮影直後にその場でより適確に判断することができる。また、撮影直後のその場で判断ができるので、場合によっては再度撮影をすることもできるメリットがある。更に、補正するべきか否かを迷う場合であっても得点が表示されるので、これを１つの判断材料とすることによって、ユーザはより明確に判断をすることができる。
【００７６】
尚、本実施形態では、特定現象の例として、ブレと露出補正を例として挙げたが、適宜その他の条件を検出対象としても良いのは勿論である。例えば、ピンぼけ、色かぶりを検出するとしても良い。
【００７７】
〔実施形態２〕
次に、実施形態２として、特定現象の生じている面積に応じて採点を行う場合について説明する。尚、本実施形態は、基本的に実施形態１と同様にして実現可能であり、実施形態１と同様の構成要素については同じ符合を付け、説明は省略するものとする。
【００７８】
図８は、本実施形態におけるＲＯＭ２０に記憶されている情報の一例を示す図である。同図に示すように、本実施形態におけるＲＯＭ２０は、実施形態１のブレ検出プログラム２２１に相当するブレ検出プログラム２２１−２と、実施形態１の露出不良検出プログラム２２２に相当する露出不良検出プログラム２２２−２とを記憶している。ブレ検出プログラム２２１−２及び露出不良検出プログラム２２２−２によれば、ＣＰＵ１は、実施形態１に比べて、更に特定現象が検出された画像中の面積を求める機能を実現することができる。
【００７９】
図９は、本実施形態におけるＲＡＭ３０の記憶領域の構成の一例を示す図である。同図に示すように、本実施形態におけるＲＡＭ３０の特定現象検出結果格納領域３２Ｒには、実施形態１と比較して、更にブレ面積３２ａと、露出不良面積３２ｂとを格納する。ブレ面積３２ａ及び露出不良面積３２ｂには、それぞれの特定現象が検出された領域数が格納される。尚、初期化されると、ブレ面積３２ａ及び露出不良面積３２ｂには、「０」が格納される。
【００８０】
図１０は、本実施形態における特定現象検出処理の流れについて説明するためのフローチャートである。同図に示すように、ループ１において、処理対象となっている領域にブレが生じている場合（ステップＳ１０８；ＹＥＳ）、ブレのランクを判定し（ステップＳ１１０）、ブレのランクを特定現象検出結果３２に格納した後（ステップＳ１１２）、更にブレ面積３２ａに「１」加算する（ステップＳ１１３）。その結果、ループ１終了時には、撮影された画像中にブレが生じている領域の数、すなわち領域を単位とした特定現象が検出された面積がブレ面積３２ａに記憶されていることになる。
【００８１】
同様にして、ループ２において処理対象となっている領域に露出不良が生じている場合（ステップＳ１１８；ＹＥＳ）、露出不良のランクを判定し（ステップＳ１２０）、露出不良のランクを特定現象検出結果３２に格納した後（ステップＳ１２２）、更に露出不良面積３２ｂに「１」加算する（ステップＳ１２３）。その結果、ループ２終了時には、撮影された画像中に露出不良が生じている領域の数、すなわち領域を単位とした特定現象が検出された面積が、露出不良面積３２ｂに記憶されていることになる。
【００８２】
図１１は、本実施形態における全体的な処理の流れを説明するためのフローチャートである。本実施形態では同図に示すように、特別表示物を撮影された画像に重ねて表示する際に、該特別表示物が示す特定現象が生じている領域の面積率を算出し、追加表示する（ステップＳ３０）。
【００８３】
また、ＣＰＵ１０は減点テーブル２５と特定現象検出結果３２を参照し（ステップＳ３２）、特定現象毎に、該特定現象が生じた面積に応じた面積補正減点を算出する（ステップＳ３４）。具体的には、「ブレ（ランクＡ）」の場合、減点テーブル２５からブレ（ランクＡ）に設定されている減点「４」を参照し、特定現象検出結果３２を参照してブレ面積３２ａの値（面積）を参照する。そして、所定の面積係数を乗じて式（１）で面積補正減点を算出する
面積補正減点＝面積×面積係数×減点  ・・・・・式（１）
そして、ＣＰＵ１０は、算出された面積補正減点の合計を求め、基準点２６から減算して得点を算出する（ステップＳ３６）。
【００８４】
図１２は、本実施形態におけるディスプレイ１００８の表示例を示す図である。同図（ａ）は、ステップＳ８に該当する。ディスプレイ１００８には撮影された画像Ｐが表示されている。画像採点プログララムが実行されたならば、同図（ｂ）に示すように特定現象が生じている部分に、特別表示部Ａ５，Ａ６が重ねて表示される。この場合、特別表示部Ａ５，Ａ６には、枠線状の特別表示物が表示されている。また、表示された領域に対応する現象の名称Ｔ５，Ｔ６がそれぞれ表示され、更に特定現象毎の面積率Ｔ７，Ｔ８が表示される（ステップＳ３０に該当）。そして、撮影された画像の得点が計算され、同図（ｃ）に示すように得点Ｋ２が表示される（ステップＳ３４に該当）。この得点Ｋ２は、特定現象の生じている領域の大きさが大きいほど引く点数となるので、ユーザは点数から特定現象の生じているレベルを鑑み、補正の必要性を判断することができる。
【００８５】
〔実施形態３〕
次に、実施形態３として、輝度ヒストグラムを用いて撮影された画像の採点を行う場合について説明する。輝度ヒストグラムとは、画像に含まれる画素を、明るさ（輝度・明るさ）によってグラフ化したものであり、横軸に輝度、縦軸に画素数を示す。濃淡ヒストグラムと呼ばれる場合もある。尚、本実施形態は、基本的に実施形態１と同様にして実現可能であり、実施形態１と同様の構成要素については同じ符合を付け、説明は省略するものとする。
【００８６】
図１３は、本実施形態におけるＲＯＭ２０に記憶されている情報の一例を示す図である。同図（ａ），（ｂ）に示すように、本実施形態におけるＲＯＭ２０は、ＣＰＵ１０に画像の輝度ヒストグラムを算出する手段として機能させるための輝度ヒストグラム算出プログラム２２３を記憶している。また、同図（ｃ）に示すような基準となる基準輝度ヒストグラム２８を記憶している。基準輝度ヒストグラム２８は、たとえば輝度０〜２５５の範囲全体にほぼ平均的に分布しているものを適宜設定する。
【００８７】
図１４は、本実施形態における処理の流れを説明するためのフローチャートである。同図に示すように、本実施形態では、撮影された画像をディスプレイ１００８に表示した後（ステップＳ８）、ＣＰＵ１０は輝度ヒストグラム算出プログラム２２３を読み出して実行し、撮影画像格納領域３１Ｒに記憶されている画像の輝度ヒストグラムを算出する（ステップＳ４０）。そして、基準輝度ヒストグラム２８と、ステップＳ４０で算出した輝度ヒストグラムとを、同座標軸で撮影された画像に重ねるようにしてディスプレイ１００８に表示させる（ステップＳ４２）。
【００８８】
次に、ＣＰＵ１０は基準輝度ヒストグラム２８と撮影された画像の輝度ヒストグラムとを比較して残差数を算出する（ステップＳ４４）。具体的には、輝度或いは所定の輝度範囲毎に基準輝度ヒストグラム２８における頻度（すなわち画素数）と、撮影された画像の輝度ヒストグラムにおける頻度との差の絶対値を算出し、全輝度の合計して両ヒストグラムを比較して一致しない画素数を残差数とする。
【００８９】
残差数を算出したならば、ＣＰＵ１０は残差数に所定の係数を乗じて、減点を算出し（ステップＳ４６）、基準点２６から減点を減算し得点を算出する（ステップＳ４８）。
【００９０】
図１５は、本実施形態におけるディスプレイ１００８の表示例を示す図である。同図（ａ）は、ステップＳ８に該当する。ディスプレイ１００８には撮影された画像Ｐが表示されている。画像採点プログララムが実行されたならば、同図（ｂ）に示すように基準輝度ヒストグラムＧ１と、ステップＳ４０で算出した輝度ヒストグラムＧ２とが、同座標軸で撮影された画像に重ねるようにしてディスプレイ１００８に表示される（ステップＳ４２に該当）。そして、撮影された画像の得点が計算され、同図（ｃ）に示すように得点Ｋ３が表示される（ステップＳ２４に該当）。
【００９１】
以上の処理によって、本実施形態におけるデジタルカメラ１０００は、撮影した画像の輝度ヒストグラムと、基準となる輝度ヒストグラムとを表示させ、さらに両ヒストグラムの残差に応じた画像の得点を表示させることができる。
【００９２】
１つの考え方として、輝度ヒストグラムがほぼ平坦であるほうが、階調全体を満遍なく使用した見やすく、きれいな画像と考えられる。したがって、基準となる輝度ヒストグラムと撮影した画像の輝度ヒストグラムとを同座標軸上に表示し、ユーザはこれを見て撮影された画像の階調の善し悪しを撮影直後にその場でより適確に判断することができる。また、撮影直後のその場で判断ができるので、場合によっては再度撮影をすることもできるメリットがある。更に、補正するべきか否かを迷う場合であっても得点が表示されるので、これを１つの判断材料とすることによって、ユーザはより明確に判断をすることができる。
【図面の簡単な説明】
【００９３】
【図１】本発明を適用したデジタルカメラの概観図であって、（ａ）は正面斜視図、（ｂ）は背面斜視図。
【図２】実施形態１におけるデジタルカメラの機能構成の一例を示す機能ブロック図。
【図３】実施形態１におけるＲＯＭに記憶されている情報の一例を示す図。
【図４】実施形態１におけるＲＡＭの記憶領域の構成の一例を示す図。
【図５】実施形態１における全体的な処理の流れを説明するためのフローチャート。
【図６】実施形態１における特定現象検出処理の流れを説明するためのフローチャート。
【図７】実施形態１におけるディスプレイの表示例を示す図。
【図８】実施形態２におけるＲＯＭに記憶されている情報の一例を示す図。
【図９】実施形態２におけるＲＡＭの記憶領域の構成の一例を示す図。
【図１０】実施形態２における特定現象検出処理の流れについて説明するためのフローチャート。
【図１１】実施形態２における全体的な処理の流れを説明するためのフローチャート。
【図１２】実施形態２におけるディスプレイの表示例を示す図。
【図１３】実施形態３におけるＲＯＭに記憶されている情報の一例を示す図。
【図１４】実施形態３における処理の流れを説明するためのフローチャート。
【図１５】実施形態３におけるディスプレイの表示例を示す図。
【符号の説明】
【００９４】
１０  ＣＰＵ
２０  ＲＯＭ
２２  画像採点プログラム
２２１  ブレ検出プログラム
２２２  露出不良検出プログラム
２２３  輝度ヒストグラム算出プログラム
２３  特別表示設定プログラム
２４  領域設定情報
２５  減点テーブル
２６  基準点
２８  基準輝度ヒストグラム
３０  ＲＡＭ
３１Ｒ  撮影画像格納領域
３２Ｒ  特定現象検出結果格納領域
３３Ｒ  特別表示設定格納領域
３４Ｒ  減点合計格納領域
３５Ｒ  得点格納領域
４０  撮影部
４４  表示部
５０  記憶媒体読取部
５２  記憶媒体
１０００  デジタルカメラ
１００２  ファインダー
１００４  撮影レンズ
１００６  撮像素子
１００８  ディスプレイ
１０１０  シャッタースイッチ
１０１２  メモリカード
１０２０  制御ユニット
【図１】
2005039541.tif 000003
【図２】
2005039541.tif 000004
【図３】
2005039541.tif 000005
【図４】
2005039541.tif 000006
【図５】
2005039541.tif 000007
【図６】
2005039541.tif 000008
【図７】
2005039541.tif 000009
【図８】
2005039541.tif 000010
【図９】
2005039541.tif 000011
【図１０】
2005039541.tif 000012
【図１１】
2005039541.tif 000013
【図１２】
2005039541.tif 000014
【図１３】
2005039541.tif 000015
【図１４】
2005039541.tif 000016
【図１５】
2005039541.tif 000017